【事件の表示】
　特許第３２１５０９４号「枚葉オフセット印刷機」の請求項１に係る特許に対する特許異議の申立てについて、次のとおり決定する。
【結　論】
　特許第３２１５０９４号の請求項１に係る特許を維持する。
【理　由】
１．特許第３２１５０９４号に係る発明
　特許第３２１５０９４号の請求項１に係る発明（以下、「本件発明」という。）は、その特許請求の範囲に記載された事項により特定される次のとおりのものである。
「給紙機より送り出された紙１がクランプアーム２に掴持されて、圧胴ロール３に送られ、次に、該圧胴ロール３に押圧されて該圧胴ロール３と共働して印刷するための印刷用ゴム胴４を備えた枚葉オフセット印刷機に於て、
　上記クランプアーム２と上記ゴム胴４との間に、上記圧胴ロール３に接近する回転ブラシロール５を配設し、かつ、該回転ブラシロール５の上流側と下流側を遮蔽して先端縁部が上記圧胴ロール３に接近するように上流壁６及び下流壁７を設け、該上流壁６及び下流壁７を密封する奥壁部８を設けると共に、上記上流壁６及び下流壁７の上部及び下部が上記回転ブラシロール５側に折り曲げられ、かつ、上記奥壁部８を上記回転ブラシロール５の奥部側に接近乃至接触させて該回転ブラシロール５に付着した異物Ｒを吸い出す真空路９に連通する吸込溝１０を上記奥壁部８に形成したことを特徴とする枚葉オフセット印刷機。」
２．異議申立人の提出した証拠に記載された発明
（証拠）
実願昭６２−１４４４８８（実開昭６４−５０９３４号公報）のマイクロフイルム（以下、「刊行物１」という。）
実願平３−２４００（実開平４−９６３４２号公報）のマイクロフイルム（以下、「刊行物２」という。）
特開平１０−３０９５４１号公報（以下、「刊行物３」という。）
（証拠に記載された発明）
（刊行物１）
「１，２は（中略）第１段目のゴム胴と圧胴で、３は（中略）圧胴へ枚葉紙を導くための渡し胴である。第１段目の圧胴２の入側には、紙積み台上（図示省略）上の枚葉紙束からフィーダにより送り出される枚葉紙４を導くフィーダボード５が延びており、その先端には、枚葉紙４を圧胴２側に渡すスウィング６が設けられている。」（第５頁２行〜１０行）、
 「第１段目の圧胴２とゴム胴１との接触部の入側において圧胴２の上側には、（中略）枚葉紙４の幅方向を覆うフード７が枚葉紙４表面に開口部を向けて設けてある。フード７は、印刷機のフレーム８に渡したクロス部材９にブラケット１０を介して支持されている。フード７には配管１１を介して吸引手段である集塵機１２が接続されている。」（第５頁１４行〜第６頁１行）、
「フード７内において出側近くには、エアノズル１７が枚葉紙４の幅方向に延ばして設けられている。」（第７頁５行〜７行）、
「エアノズル１７には配管２８を介してコンプレッサ１９が接続され（中略）エアノズル１７に圧縮エアが供給される。」（第７頁１２行〜１５行）、
「フード７内のエアノズル１７より入側寄りにエアノズル１７と平行に回転ブラシ２２が設けられている。回転ブラシ２２は枚葉紙４表面に近付けて設けられている。」（第７頁２０行〜第８頁３行）、
「枚葉オフセット印刷機の入口部にある紙積み台上からフィーダにより送り出される枚葉紙４はフィーダボード５上を導かれ、スウィング６により圧胴２へ渡される。圧胴２側に渡された枚葉紙４は、（中略）フード７内に入り、」（第８頁１６行〜第９頁４行）、
「集塵機１２の吸引作用によって、紙粉は集塵機１２に吸引除去される。」（第９頁９行〜１０行）、及び
「フード７の入側部、出側部が枚葉紙４表面に近接する平ブラシ１３で塞がれている」（第９頁１２行〜１４行）と記載され、第１図及び第３図によれば、フード７の態様として、
「移動する枚葉紙４に接するように回転ブラシ２２が設けられ、その回転ブラシ２２に対して、枚葉紙４が移動する際の上流側に当たる回転ブラシ２２の側と下流側に当たる回転ブラシ２２の側とに圧胴２に接近するようにした壁（便宜、「壁Ａ」という。）（当審注：壁Ａは、第１図の符号７で示されている。なお、壁Ａの圧胴側の端部を、便宜、「端部Ａ」という。）が設けられ、上記端部Ａの反対側延長線上で回転ブラシ２２の径よりも少々延長された大きさの位置に当たる端部（便宜、「端部Ｂ」という。）から、吸引手段である集塵機１２の方へ、上記の壁Ａと共に回転ブラシ２２を密封する為の傾斜した壁（便宜、「壁Ｂ」という。）（当審注：壁Ｂは、第３図の符号７で示されている。）及び、上記壁Ｂには吸い込み溝が設けられてはいないフード」が認められる。
　そうすると、刊行物１には、
「紙積み台より送り出された枚葉紙４がスウィング６に掴持されて、圧胴２に送られ、次に、該圧胴２に押圧されて該圧胴２と共働して印刷するためのゴム胴１を備えた枚葉オフセット印刷機に於て、上記スウィング６と上記ゴム胴１との間に、上記圧胴２に接近する回転ブラシ２２を配設し、かつ、該回転ブラシ２２の上流側と下流側を遮蔽して先端縁部が上記圧胴２に接近するように上流側の壁及び下流側の壁を設け、該上流側の壁、及び下流側の壁を密封する壁を設けた枚葉オフセット印刷機」（以下、「刊行物１の発明」という。）が記載されている。
（刊行物２）
「用紙ａは中間胴２（移送胴）上に装着されたカバリング材の粘着シートと圧胴３間のニッブ部で挟持されて搬送され」（第４頁１０行〜１２行、段落【０００２】）、
「図７はブラシ式紙粉除去装置を示し、給紙部１から供給される用紙ａはブラシ式紙粉除去装置２０のブラシロール２１と接面し、紙面上の紙粉はブラシロール２１に付着あるいは吸引によって除去される。」（第４頁２４行〜２６行、段落【０００４】）、及び
「６　ブラシロール　７　吸引器　（中略）４０　ブラシ式紙粉除去装置」（【符号の説明】より引用。）と記載されており、第７図によれば、吸引器７の態様として、
「移動する用紙ａに接するようにブラシロール６が設けられ、そのブラシロール６に対して、用紙ａが移動する際の上流側に当たるブラシロール６の側と下流側に当たるブラシロール６の側とに用紙ａに接近するようにした壁（便宜、「壁Ｓ」という。）（当審注：壁Ｓは、第７図の符号７で示されている。なお、壁Ｓの用紙ａ側の端部を、便宜、「端部Ｓ」という。）が設けられ、上記端部Ｓの反対側延長線上でブラシロール６の径よりも少々延長された大きさの位置に当たる端部（便宜、「端部Ｔ」という。）から、ブラシロール６側に略直角に折り曲げられて、上記の壁Ｓと共にブラシロール６を密封するように形成された壁（便宜、「壁Ｔ」という。）、及び、上記壁Ｔは吸い込み溝が設けられてはいない吸引器７」が認められる。
　そうすると、刊行物２には。
「ブラシ式紙粉除去装置をもつ枚葉印刷機において、給紙部１より送り出された用紙ａが紙送り胴２を介して、圧胴３に送られ、次に、該圧胴３に押圧されて該圧胴３と共働して印刷するためのプランケット胴５を備え、上記プランケット胴５の上流側にブラシロ−ル６と該ブラシロ−ル６を囲って紙粉を吸引する吸引器７を配設したブラシ式紙粉除去装置」（以下、「刊行物２の発明」という。）が記載されている。
（刊行物３）
「【請求項１】
　ワ−ク２に接近した位置にて開口するエア吸入口３を有するエア吸入室４と、該エア吸入室４の内部に上記ワ−ク２に摺接可能として配設される回転ブラシロ−ル５と、を備えた除塵装置であって、上記エア吸入室４を形成する区画壁１１の内面と上記回転ブラシロ−ル５の外周面との隙間９が上記エア吸入口３近傍にて最小となるように、上記区画壁１１の上記エア吸入口３側の端部２０を上記回転ブラシロ−ル５の外周面に接近させたことを特徴とする除塵装置。
【請求項２】　エア吸入室４の区画壁１１の内面と回転ブラシロ−ル５の外周面との間隔寸法Ｓが、エア吸入口３側へ次第に減少している請求項１記載の除塵装置。
【請求項３】　エア吸入室４を形成する区画壁１１が、回転ブラシロ−ル５の外周面に近づくように複数回折り曲げられて、その区画壁１１の非折曲壁部２３及び複数の折曲壁部２４と、上記回転ブラシロ−ル５の外周面との、夫々の最小間隔寸法Ｔが、エア吸入ロ３側へ次第に減少している請求項１又は２記載の除塵装置。
【請求項４】　区画壁１１のエア吸入口３側の端部に、先細テ−パ部２６が形成されている請求項１,２又は３記載の除塵装置。
【請求項５】　区画壁１１の外面とワ−ク２の表面との間隔寸法Ｊが、該区画壁１１のエア吸入口３側の端部２０から外方へ次第に増加している請求項１,２,３又は４記載の除塵装置。
【請求項６】　区画壁１１のエア吸入口３側の端部２０と回転ブラシロ−ル５の外周面との間隔寸法Ｂと、該区画壁１１のエア吸入□３側の端部２０とワ−ク２との間隔寸法Ｃが、略同一に設定されている請求項１,２,３,４又は５記載の除塵装置。」（特許請求の範囲）、「ノズル６は、ブラシロ−ル５の軸心方向全長にわたるスリット状孔１０を有する。そのノズル６の先端をブラシロ−ル５の外周面に（中略）近接乃至当接させる。」（第３頁第３欄１６行〜１９行）と記載されており、これらの記載及び図１〜図７によれば、刊行物３には、
「ワ−ク２に接近した位置において開口するエア吸入口３を有するエア吸入室４と、該エア吸入室４の内部にワ−ク２に摺接可能として配設された回転ブラシロ−ル５と、を備え、エア吸入室４は、その回転ブラシロール５に対して、ワーク２が移動する際の上流側に当たる回転ブラシロール５の側と下流側に当たる回転ブラシロール５の側とに、回転ブラシロ−ル５を囲う壁(当審注：第１図においては、図面に向かって右側の符号１１)及び壁(当審注：第１図においては、図面に向かって左側の符号１１)を設け、双方の壁のワーク２に近接する部分が回転ブラシロ−ル５側に折り曲げられ、かつ、回転ブラシロ−ル５のワーク２の側に対して反対の側に近接乃至当接させて該回転ブラシロ−ル５に付着した異物Ｒを吸い出すエア吸入路に連通するスリット状孔１０を有するノズル６を設けた除塵装置」（以下、「刊行物３の発明」という。）
が記載されている。
３．対比・判断
　本件発明と刊行物１〜３の発明を対比すると、刊行物１〜３の発明は、本件発明の「該上流壁６及び下流壁７を密封する奥壁部８を設けると共に、上記上流壁６及び下流壁７の上部及び下部が上記回転ブラシロール５側に折り曲げられ、かつ、上記奥壁部８を上記回転ブラシロール５の奥部側に接近乃至接触させて該回転ブラシロール５に付着した異物Ｒを吸い出す真空路９に連通する吸込溝１０を上記奥壁部８に形成したこと」という事項において、
ア．「上記上流壁６及び下流壁７の上部が上記回転ブラシロール５側に折り曲げられ」た事項
イ．「上記奥壁部８を上記回転ブラシロール５の奥部側に接近乃至接触させ」た事項
ウ．「吸込溝１０を上記奥壁部８に形成し」た事項
を備えておらず、ひいては、刊行物１〜３の発明に基づいても、本件発明が前示のア〜ウの事項に基づいて『回転ブラシロール５の奥部側とケーシング１１の奥部８との間におけるエアーの流速を大きくして、回転ブラシロール５に付着している異物Ｒ及びケーシング内に浮遊している異物Ｒを、吸込溝１０からより強く吸引し、より多く除去し、また、ケーシング１１の高さを縮小でき』ることを包含して奏する「真空引きを伴う単一の回転ブラシロール５によって、紙１に付着している異物を効果的に吸引・除去することができ、かつ、その真空引きにより、回転ブラシロール５に付着した異物を取り除くこともできる。また、その回転ブラシロール５によって、紙１を圧胴ロール３に押し付けて、その浮き上がりやバタツキを防止することができる。従って、紙１に鮮明な精度の高い印刷を施すことができ、かつ、装置全体をコンパクトに形成することができる。」（段落【００２４】、【００２５】）という効果を期待することができない。
　そうすると、本件発明は、当業者が刊行物１〜３に記載された発明に基いて容易に発明をすることができたものではない。
４．むすび
　以上のとおりであるから、特許異議申立ての理由及び証拠によっては、本件発明についての特許を取り消すことはできない。
  また、他に本件発明についての特許を取り消すべき理由を発見しない。
　よって、結論のとおり決定する。
【異議決定日】
平成１５年９月２５日（２００３．９．２５）